(57)【要約】【課題】狭い場所での配管施工が容易である柔軟性に優れた加熱・保温配管を提供すること。【解決手段】保温性を有し且つ断面が略円形又は多角形の長尺物から成る複数の保温材を、均熱層上に沿わせるようにしてあり、前記複数の保温材により均熱層のほぼ全周を覆うようにしている。前記保温材は、均熱層上に螺旋状に巻き付けてあることが好ましく、均熱層上に沿わせた保温材は、４本以上であることが好ましい。また、保温材の材質は、ウレタン、シリコン又はポリエチレンである。保温材４は直径が４〜１０ｍｍ程度に構成され、均熱層３に巻き付ける螺旋ピッチは２５０ｍｍ以上に設定されることが好ましい。【選択図】　図１
2004060847.tif 000002
【特許請求の範囲】
【請求項１】
保温性を有し且つ断面が略円形又は多角形の長尺物から成る複数の保温材を、均熱層上に沿わせるようにしてあり、前記複数の保温材により均熱層のほぼ全周を覆うようにしたことを特徴とする加熱保温配管。
【請求項２】
保温材は、均熱層上に螺旋状に巻き付けてあることを特徴とする請求項１記載の加熱保温配管。
【請求項３】
均熱層上に沿わせた保温材は、４本以上であることを特徴とする請求項１又は２記載の加熱保温配管。
【請求項４】
保温材は、ウレタン、シリコン又はポリエチレンであることを特徴とする請求項１乃至３のいずれかに記載の加熱保温配管。
【発明の詳細な説明】
【０００１】
【発明の属する技術分野】
この発明は、気体や液体を加熱・保温しながら移送する加熱・保温配管に関するものである。
【０００２】
【従来の技術】
加熱・保温配管は、一般的に、電気ヒータを沿わせた樹脂製導管の外周に均熱層を設け、その上からテープ状のガラスファイバーを４〜５層程度螺旋状にきつく巻き付けるようにして保温層を形成している。そして、その上に、製品の保護及び防水を目的としてＰＶＣ製の保護カバーを設けている。
【０００３】
ところが、上記加熱・保温配管では、柔軟性に乏しく、狭い場所で曲げて配管施工することが困難であるという問題がある。
【０００４】
したがって、加熱・保温配管を取り扱う業界では、狭い場所での配管施工が容易である柔軟性に優れた加熱・保温配管が開発されることを待ち望んでいる。
【０００５】
【発明が解決しようとする課題】
そこで、この発明では、狭い場所での配管施工が容易である柔軟性に優れた加熱・保温配管を提供することを課題とする。
【０００６】
【課題を解決するための手段】
（請求項１記載の発明）
この発明の加熱保温配管は、保温性を有し且つ断面が略円形又は多角形の長尺物から成る複数の保温材を、均熱層上に沿わせるようにしてあり、前記複数の保温材により均熱層のほぼ全周を覆うようにしている。
（請求項２記載の発明）
この発明の加熱保温配管は、上記請求項１記載の発明に関し、保温材は、均熱層上に螺旋状に巻き付けてある。
（請求項３記載の発明）
この発明の加熱保温配管は、上記請求項１又は２記載の発明に関し、均熱層上に沿わせた保温材は、４本以上であるものとしている。
（請求項４記載の発明）
この発明の加熱保温配管は、上記請求項１乃至３のいずれかに記載の発明に関して、保温材の材質は、ウレタン、シリコン又はポリエチレンである。
【０００７】
なお、この発明の加熱保温配管の機能については以下の発明の実施の形態の欄で説明する。
【０００８】
【発明の実施の形態】
この発明の実施形態の加熱保温配管を図面に従って説明する。
〔実施形態１〕
図１は、この発明の実施形態の加熱保温配管Ｈの概略図である。
（この加熱保温配管Ｈの基本構造について）
この実施形態の加熱保温配管Ｈは、図１に示すように、電気ヒータ２を沿わせた導管１の外周に均熱層３を設け、この上から断面が略円形状の長尺物から成る５本の保温材４を螺旋状に巻き付けると共に、その上に防湿層５と保護カバー６を順に設けるようにして構成させてある。
【０００９】
導管１は、気体や液体を移送するものであり、樹脂（例えばＰＦＡ）又は金属により構成されている。
【００１０】
電気ヒータ２は、コードヒータであり、このコードヒータはニクロム線にガラス編組を被覆して成るものを使用している。
【００１１】
均熱層３は、導管１の全周にコードヒータからの熱が均一に行き渡るようにするためのものであり、アルミ泊とガラスクロスシートから成るテープ状の積層体が用いられている。
【００１２】
保温材４は、直径が１０ｍｍ程度の略円形状の構成されており、均熱層３に巻き付ける螺旋ピッチは３００ｍｍ程度に設定してある。なお、この実施形態では５本の保温材４を均熱層３に巻き付けてある。
【００１３】
防湿層５は、ポリエステルのテープを螺旋状に巻き付けて形成してある。
【００１４】
保護カバー６は、製品の保護及び防水を目的として設けられたものであり、低硬度のＰＶＣ（従来より硬度が約２０％低いＰＶＣ）製のパイプにより構成されている。
（この加熱保温配管Ｈの機能について）
この加熱保温配管Ｈでは、配管の柔軟性を低下させていた上記構成を採用しているから以下に示すような機能を奏する。
Ａ．この加熱保温配管Ｈでは、▲１▼テープ状のガラスファイバーを４〜５層程度螺旋状にきつく巻き付けるようにしてできた従来の硬い保温層を、略円形状の発泡ウレタンより成る保温材４で構成された柔軟性のある保温層に変えてあり、▲２▼硬いＰＶＣ製の保護カバーを、低硬度のＰＶＣ（従来より硬度が約２０％低いＰＶＣ）製の保護カバーに変えてあるから、当該加熱保温配管Ｈは非常に柔軟性を有するものとなる。
【００１５】
したがって，この加熱保温配管Ｈを使用した場合、狭い場所での配管施工が容易になり、曲げ配管した状態を安定した状態で維持できる。
Ｂ．保温材４は、均熱層３に螺旋状に巻き付けてあるから、配管を屈曲させた際においても、保温材４が偏るようなことが少ない。したがって、均熱層３の周りに保温材４が平均して存在することになり、安定した流体の加熱保温が可能になる。
〔他の実施態様〕
上記実施形態１では、保温材４の断面形状は略円形状としてあるが、これに限定されることなく、断面形状は円形に近い多角形状でもよい。
【００１６】
上記実施形態１では、保温材４は発泡ウレタンにより構成されたものとしてあるが、これに限定されることなく、発泡シリコンや発泡ポリエチレン等で構成させるようにしてもよい。
【００１７】
上記実施形態１では、保温材４の直径は１０ｍｍ程度としてあるが、これに限定されることなく、４〜２０ｍｍの範囲であれば使用できる。
【００１８】
上記実施形態１では、均熱層３に巻き付ける螺旋ピッチは３００ｍｍ程度に設定してあるが、これに限定されることなく、螺旋ピッチは２５０ｍｍ以上であればよい。
【００１９】
上記実施形態１では、均熱層３に巻き付ける保温材４の本数は５本としてあるが、これに限定されることなく、４本以上であればよい。要するに、複数の保温材４により均熱層のほぼ全周を覆うことができればよい。
【００２０】
【発明の効果】
この発明は上記のような構成であるから次の効果を有する。
【００２１】
発明の実施の形態の欄に記載した内容から、狭い場所での配管施工が容易である柔軟性に優れた加熱・保温配管を提供できた。
【図面の簡単な説明】
【図１】この発明の実施形態１の加熱・保温配管の説明図。
【符号の説明】
１　　　導管
２　　　電気ヒータ
３　　　均熱層
４　　　保温材
５　　　防湿層
６　　　保護カバー
【図１】
2004060847.tif 000003